(57)【要約】【課題】ブーツを脱いだとき胴筒部が自立するようにしたブーツの保形装置を提供すること。【解決手段】左右１対のブーツＢの互いに対向する胴筒部Ｂａの内側部にそれぞれ配設され、互いに磁力にて吸着し合う磁石片Ｍからなる。【選択図】図１
2009207791.tif 000002
【特許請求の範囲】
【請求項１】
左右１対のブーツの互いに対向する胴筒部の内側部にそれぞれ配設され、互いに磁力にて吸着し合う磁石片と磁石片又は磁石片と磁性体片からなることを特徴とするブーツの保形装置。
【請求項２】
前記磁石片又は磁性体片が、接着テープによって胴筒部の内側部の内面に接着されるように構成されてなることを特徴とする請求項１記載のブーツの保形装置。
【請求項３】
請求項１又は２記載のブーツの保形装置が、胴筒部の内側部に組み込まれてなることを特徴とするブーツ。
【発明の詳細な説明】
【技術分野】
【０００１】
本発明は、ブーツの保形装置及びブーツの保形装置を適用したブーツに関し、特に、脱いだブーツをそのままの状態で自立させておくことができ、型崩れや皺などを未然に防止するようにしたブーツの保形装置及びこのブーツの保形装置を適用したブーツに関するものである。
【背景技術】
【０００２】
従来、女性用のロングブーツは、はき口がふくらはぎよりも上方となるよう胴筒部が長いため、脱いだときに胴筒部が折れ曲がりやすく、この折れ曲がりが繰り返されたり、折れ曲がり状態にて長時間放置されると、折れ曲がり部に癖がつき、図５に示すように、型崩れや皺が発生する。
【０００３】
このブーツの型崩れや皺により、脱いだときにブーツは自立することができず見苦しい形態となる。
【０００４】
このブーツの型崩れや皺の発生を防止するには、ブーツを立てて保管するようにしたブーツスタンド（例えば、特許文献１参照）やブーツを立てて保管するようにブーツ内に挿入ようにしたブーツキーパ等が提案されている。
【０００５】
ところで、ブーツスタンドは、ブーツとは別設されるもので、１足のブーツを載置できるようにした基台に長さ調整可能な支柱を樹立し、この支柱の上部にブーツ上端のはき口を狭持するようにした狭持部材を配設して構成されている。
【０００６】
このように、ブーツスタンドは、家庭や事業所等で事前にブーツスタンドを配置しておくことにより、脱いだブーツをブーツスタンドにて保持させることで、ブーツの胴筒部の折れ曲がり等による型崩れや皺の発生を防止することができるが、他の家庭を訪問したとき、あるいはブーツスタンドが準備されていない場所でブーツを脱ぐときには、ブーツ自体で自立させることができないので、必然的に型崩れや皺が発生するという問題があり、また、ブーツスタンドは嵩張るため、外出の際に携行（携帯）することは困難であるという問題があった。
【０００７】
そして、上記問題点は、ブーツキーパ等のブーツスタンド以外のブーツを立てて保管するための器具にも共通する問題点であった。
【特許文献１】実用新案登録第３１１０８２２号公報
【発明の開示】
【発明が解決しようとする課題】
【０００８】
本発明は、上記ブーツスタンド等のブーツを立てて保管するための器具が有する問題点に鑑み、ブーツを脱いだとき胴筒部が自立するようにしたブーツの保形装置及びこのブーツの保形装置を適用したブーツを提供することを目的とする。
【課題を解決するための手段】
【０００９】
上記目的を達成するため、本発明のブーツの保形装置は、左右１対のブーツの互いに対向する胴筒部の内側部にそれぞれ配設され、互いに磁力にて吸着し合う磁石片と磁石片又は磁石片と磁性体片からなることを特徴とする。
【００１０】
この場合において、前記磁石片又は磁性体片が、接着テープによって胴筒部の内側部の内面に接着されるように構成することができる。
【００１１】
また、本発明のブーツは、上記ブーツの保形装置が、胴筒部の内側部に組み込まれてなることを特徴とする。
【発明の効果】
【００１２】
本発明のブーツの保形装置及びこのブーツの保形装置を適用したブーツによれば、左右１対のブーツの互いに対向する胴筒部の内側部にそれぞれ配設され、互いに磁力にて吸着し合う磁石片と磁石片又は磁石片と磁性体片からなることから、脱いだブーツの左右１足を互いの胴筒部を隣接するように並べて配列することで胴筒部の内側部に配設した磁石片と磁石片又は磁石片と磁性体片が互いに吸着し合うので、ブーツの外形を変えることなく、胴筒部は互いに支え合うようになるため、胴筒部が柔らかい皮革にて構成されるブーツでも確実に自立させることができ、脱いだその場所でブーツを型崩れすることなく保管することができる。
【００１３】
また、前記磁石片又は磁性体片を、接着テープによって胴筒部の内側部の内面に接着されるように構成することにより、ブーツの保形装置を、既存のブーツにユーザーが容易に装着することができる。
【発明を実施するための最良の形態】
【００１４】
以下、本発明のブーツの保形装置の実施の形態を、図面に基づいて説明する。
【実施例１】
【００１５】
図１〜図３に、本発明のブーツの保形装置の第１実施例を示す。
【００１６】
このブーツの保形装置は、所要の左右１対のブーツＢにおいて、ブーツＢを脱いで左足用ＢＲ、右足用ＢＬを隣接して並べたとき、互いに対向する胴筒部Ｂａの内側部で、かつ互いに磁力にて吸着し合う位置に、永久磁石よりなる磁石片Ｍ、Ｍを配設して構成する。
【００１７】
このブーツＢの胴筒部Ｂａの内側部に配設する磁石片Ｍは、特に限定されるものではなく、互いに吸着するよう対向する一方の磁石片をＮ極とし、他方をＳ極とするようにする。
【００１８】
この場合において、磁石片Ｍの一方を磁性体で構成することもできる。
【００１９】
また、胴筒部Ｂａの内側部に配設する磁石片Ｍ（又は磁性体）は、ブーツの製作時に、予め胴筒部Ｂａの外皮１と内張２との間に挟み込むように埋め込んで取り付けるようにする。
【００２０】
この場合、磁石片Ｍ（又は磁性体）が妄りにその取付位置が変わらないようにすることが望ましい。
【００２１】
このため、磁石片Ｍ（又は磁性体）は、胴筒部Ｂａの外皮１又は内張２のいずれかに接着するか、他の方法で固定するようにする。
【００２２】
これにより、左右のブーツＢを隣接配設したとき、左右のブーツＢの胴筒部Ｂａ同士が、図１に示すように、互いに接し、かつ左右のブーツＢの胴筒部Ｂａに埋め込んだ磁石片Ｍと磁石片Ｍ（又は磁石片と磁性体）が定位置で対向して互いに吸着し合うようにする。
【００２３】
左右のブーツＢの胴筒部Ｂａに互いに対向するように、かつ埋め込むようにして取り付ける磁石片Ｍ（又は磁性体）の数は、ブーツの大きさ（長さ）、構成する皮革の柔軟度などにより決定するもので、短いブーツや構成皮革の腰が強い場合は、その配設数は少なく、反対に長いブーツや構成皮革の腰が弱い場合は、それに応じて配設数を多くなるようにする。
【００２４】
なお、図示の実施例では、左右のブーツＢの胴筒部Ｂａの上下方向それぞれ３カ所に配設するようにしている。
【００２５】
これにより、ブーツスタンドやブーツキーパがない外出先においても、左右のブーツＢを脱いで隣接して並べるだけで、互いに隣接する左右ブーツの磁石片Ｍが吸着し合うようになって、ブーツを構成する皮革が柔らかい場合であっても、左右のブーツの胴筒部Ｂａが互いに支え合うようになり、保持力が増して、自立させることができ、ブーツに不要な皺や型崩れを防止することができる。
【実施例２】
【００２６】
図４に、本発明のブーツの保形装置の第２実施例を示す。
【００２７】
このブーツの保形装置は、既存のブーツにも適用できるようにしたもので、これは所要の大きさの磁石片Ｍ（又は磁性体）を、この磁石片Ｍ（又は磁性体）よりも大きい接着テープ３に貼り合わせるようにし、かつこの磁石片Ｍを含めて接着テープ３の接着面側を覆うようにして剥離紙４を重ねて一体として保形具Ａを構成するようにしている。
【００２８】
なお、この接着テープ３の接着剤は、ブーツの胴筒部Ｂａの内側部の内面に貼着可能なものであれば限定されるものではない。
【００２９】
このように構成した保形具Ａを、剥離紙４を剥がして、既存のブーツに、特に左右ブーツの胴筒部の内側部の内面にそれぞれ、かつ互いに対向する位置に貼着する。
【００３０】
これにより、ブーツを脱いで隣接して並べるだけで、互いに隣接する左右ブーツの磁石片Ｍが吸着し合うようになって、左右のブーツの胴筒部が互いに支え合うようになり、保持力が増して、自立させることができ、ブーツに不要な皺や型崩れを防止することができる。
【００３１】
なお、上記各実施例に用いる磁石片Ｍ（又は磁性体）は、ブーツを履いたとき脚に不快感を与えないように薄くするほうがよく、また強力な磁力線を有するものが適している。
【００３２】
以上、本発明のブーツの保形装置について、その実施例に基づいて説明したが、本発明は上記実施例に記載した構成に限定されるものではなく、その趣旨を逸脱しない範囲において適宜その構成を変更することができるものである。
【産業上の利用可能性】
【００３３】
本発明のブーツの保形装置は、ブーツ内に配設した磁石片によりブーツを脱いだとき、対向する磁石片にて互いに磁力にて吸着し合ってブーツを脱いだ状態での胴筒部が自立して保形するという特性を有していることから、ブーツの保形の用途に好適に用いることができる。
【図面の簡単な説明】
【００３４】
【図１】本発明ブーツの保形装置の第１実施例を示し、自立させたブーツの背面図である。
【図２】（Ａ）は図１の横断平面図、（Ｂ）はその一部の拡大断面図である。
【図３】同ブーツの外観斜視図である。
【図４】本発明ブーツの保形装置の第２実施例の拡大断面図である。
【図５】型崩れを起こしたブーツの外観斜視図である。
【符号の説明】
【００３５】
Ａ    保形具
Ｂ    ブーツ
Ｂａ  胴筒部
Ｍ    磁石片
１    外皮
２    内張
３    接着テープ
４    剥離紙
【図１】
2009207791.tif 000003
【図２】
2009207791.tif 000004
【図３】
2009207791.tif 000005
【図４】
2009207791.tif 000006
【図５】
2009207791.tif 000007